(57)【要約】【課題】圧損の大きな高性能フィルターを用いていても、外気導入冷房時に十分な冷気風量を確保できる外気導入冷房機能を備えた空調システムを提供する。【解決手段】外気温度Ｔｏ≦閾値温度Ｔｍの場合には、外気導入冷房運転制御となり、電動シャッター３ｃ操作により還気口３ｂを閉とする。次いで、外気温度Ｔｏと室内温度Ｔｉの差（ΔＴ）を演算し、ΔＴ−Φ関係テーブル（関係テーブル１）に基づいてダンパー開度を指示する。次いで、制御部７はダンパー２ａ側からの開度Φに対応するアナログ信号を受けて、Φ−Ｒ関係テーブル（関係テーブル２）に基づいて送風機回転数Ｒを指示する。以上の制御により、ダンパー開度に対応した外気が導入され、還気口３ａを介して還流と混合されて蒸発器を通過する。【選択図】図１（ａ）
2014190640.tif 000002
【特許請求の範囲】
【請求項１】
室内還気又は／及び外気を冷却して、室内に供給する空調システムであって、
外気導入量を可変とする手段を備えた外気導入部と、
室内空気を再循環させるための室内空気還気部と、
室内還気、又は、導入外気と室内還気との混合気を冷却する空気冷却手段と、
冷却した室内還気、又は、導入外気と室内還気との混合気を、室内に供給する送風機と、
所定の環境条件に対応して、外気導入量を制御する外気導入量制御手段と、
外気導入量に対応して、送風機回転数を一定範囲に制御する送風機回転数制御手段と、
を備えて成ることを特徴とする外気導入冷房機能を備えた空調システム。
【請求項２】
前記環境条件が、外気温度であることを特徴とする請求項１に記載の外気導入冷房機能を備えた空調システム。
【請求項３】
前記環境条件が、外気温度と室内温度又は吹き出し温度との差であることを特徴とする請求項１に記載の外気導入冷房機能を備えた空調システム。
【請求項４】
前記環境条件が、外気と室内空気のエンタルピー差であることを特徴とする請求項１に記載の外気導入冷房機能を備えた空調システム。
【請求項５】
前記送風機回転数制御手段が、予め設定した前記ダンパー開度に対応する信号と、前記送風機回転数との関係テーブルに基づき制御する手段であることを特徴とする請求項１乃至４のいずれかに記載の外気導入冷房機能を備えた空調システム。
【請求項６】
前記ダンパー開度に対応する信号を受信する前後の、室内空気還気部における吸込み温度と吹き出し温度との差に基づいて、前記関係テーブルを適宜修正する手段を、さらに備えたことを特徴とする請求項５に記載の外気導入冷房機能を備えた空調システム。
【請求項７】
導入外気、又は、導入外気と室内還気との混合気に含まれる塵埃を除去するフィルターを、さらに備え、かつ、
前記送風機回転数制御手段が、該フィルター前後の差圧に基づき制御する手段であることを特徴とする請求項１乃至６のいずれかに記載の外気導入冷房機能を備えた空調システム。
【請求項８】
前記送風機回転数制御手段が、外気温度に基づき制御する手段であることを特徴とする請求項１乃至６のいずれかに記載の外気導入冷房機能を備えた空調システム。
【請求項９】
前記送風機回転数制御手段が、外気温度と室内温度又は吹き出し温度との差に基づき制御する手段であることを特徴とする請求項１乃至６のいずれかに記載の外気導入冷房機能を備えた空調システム。
【請求項１０】
前記外気導入部と、前記室内空気還気部と、前記外気導入量制御手段と、を備えた外気導入ユニットと、
前記空気冷却手段と、前記送風機と、前記外気導入量制御手段により決定される外気導入量に対応して送風機回転数を制御する送風機回転数制御手段と、を備えた独立の空調機本体と、を備えて構成して成る、
ことを特徴とする請求項１乃至９のいずれかに記載の外気導入冷房機能を備えた空調システム。
【請求項１１】
請求項１０において、一の前記外気導入ユニットが、複数の前記空調機本体に外気供給可能に構成したことを特徴とする外気導入冷房機能を備えた空調システム。
【請求項１２】
前記空気冷却手段と、
前記送風機と、
前記外気導入量制御手段により決定された外気導入量に対応して、送風機回転数を制御する送風機回転数制御手段と、を備え、
請求項１乃至１１のいずれか記載の外気導入冷房運転を可能に構成したことを特徴とする空調機本体。
【発明の詳細な説明】
【技術分野】
【０００１】
本発明は空調システムに係り、特に外気導入冷房機能を備えた空調システムに関する。
【背景技術】
【０００２】
従来、業務用空調システムの分野では、省エネ性向上の見地から低温外気を積極的に室内に導入する外気冷房システムが提案されている（例えば、特許文献１）。図６は、このような外気冷房システム１００を示し、冷房用熱交換器１０２と内蔵ファン１０３等を備えた空調機１０１と、外気を吸気する吸気ダクト１０６と、冷房空気又は外気を室内側に吹き出す給気ダクト１１１と、を備えている。かかる構成により、冷房時は空調機１０１を運転して、給気ダクト１１１を介して冷気を室内１０５に吹き出し、天井面に設けられた還気口１１３から室内空気を還気する。さらに、還気ダクト１０７からの還流空気と、吸気ダクト１０６を介して取り込む外気とを混合して、空調機１０１で再度冷気にして室内１０５に吹き出す。その際、余剰空気を排気ファン１０９により外部に排出する。
また、外気冷房時は、空調機１０１を停止した状態で吸気ダクト１０６から取り入れた外気を、給気ダクト１１１を介して室内１０５に供給する。この場合、ダンパ１１２により還気ダクト１０７を閉じるとともに、開口部１１４を開口状態にして換気を行う。
【０００３】
さらに、外気の温度、湿度に応じて外気導入量を適切に制御して、室内還気と混合して冷房運転と併用するシステムについても提案されている（例えば、特許文献２、３）。
【先行技術文献】
【特許文献】
【０００４】
【特許文献１】特開２０００−１２１１３０号公報
【特許文献２】特開２０１０−２６１６９６号公報
【特許文献３】特開２０１２−１０７８０１号公報
【発明の開示】
【発明が解決しようとする課題】
【０００５】
このような外気冷房システムにおいて、外気導入のための送風機をパッケージ空調機の室内送風機で兼用するれば、イニシャルコストの低減が可能となる。
しかしながら、データセンタ空調においては以下のような問題がある。
ＩＣＴ装置へ供給される冷気供給量が不足するとＩＣＴ装置に高温異常等の障害が発生するおそれがあるため、常に冷気供給量を一定以上に維持する必要がある。
また、外気導入に際してはサーバ室の空気清浄度を高くするため、ダクト内に高性能フィルターを取り付けることが一般的であり、高性能フィルターを通過させた外気を空調機に取り込むため、空調機の機外抵抗が高くなる。このため、空調機側の室内送風機を一定回転数で運転したのでは、室内に供給される風量が低下し、上述の障害発生のおそれがある。
【０００６】
本発明は、このような課題を解決するためのものであって、外気導入冷房機能を備えた空調システムにおいて、圧損の大きな高性能フィルターを用いていても、外気導入冷房時に十分な冷気風量を確保できる技術を提供する。
【課題を解決するための手段】
【０００７】
本発明は以下の内容をその要旨とする。すなわち、本発明に係る外気導入冷房機能を備えた空調システムは、
（１）室内還気又は／及び外気を冷却して、室内に供給する空調システムであって、
外気導入量を可変とする手段を備えた外気導入部と、
室内空気を再循環させるための室内空気還気部と、
室内還気、又は、導入外気と室内還気との混合気を冷却する空気冷却手段と、
冷却した室内還気、又は、導入外気と室内還気との混合気を、室内に供給する送風機と、
所定の環境条件に対応して、外気導入量を制御する外気導入量制御手段と、
外気導入量に対応して、送風機回転数を一定範囲に制御する送風機回転数制御手段と、を備えて成ることを特徴とする。
【０００８】
（２）上記（１）の発明において、前記環境条件が、外気温度であることを特徴とする。
【０００９】
（３）上記（１）の発明において、前記環境条件が、外気温度と室内温度又は吹き出し温度との差であることを特徴とする。
【００１０】
（４）上記（１）の発明において、前記環境条件が、外気と室内空気のエンタルピー差であることを特徴とする。
【００１１】
（５）上記各発明において、前記送風機回転数制御手段が、予め設定した前記ダンパー開度に対応する信号と、前記送風機回転数との関係テーブルに基づき制御する手段であることを特徴とする。
【００１２】
（６）上記発明において、前記ダンパー開度に対応する信号を受信する前後の、室内空気還気部における吸込み温度と吹き出し温度との差に基づいて、前記関係テーブルを適宜修正する手段を、さらに備えたことを特徴とする。
【００１３】
（７）上記各発明において、導入外気、又は、導入外気と室内還気との混合気に含まれる塵埃を除去するフィルターを、さらに備え、かつ、
前記送風機回転数制御手段が、該フィルター前後の差圧に基づき制御する手段であることを特徴とする。
【００１４】
（８）上記各発明において、前記送風機回転数制御手段が、外気温度に基づき制御する手段であることを特徴とする。
【００１５】
（９）上記各発明において、前記送風機回転数制御手段が、外気温度と室内温度又は吹き出し温度との差に基づき制御する手段であることを特徴とする。
【００１６】
（１０）前記外気導入部と、前記室内空気還気部と、前記外気導入量制御手段と、を備えた外気導入ユニットと、
前記空気冷却手段と、前記送風機と、前記外気導入量制御手段により決定される外気導入量に対応して送風機回転数を制御する送風機回転数制御手段と、を備えた独立の空調機本体と、を備えて構成して成る、ことを特徴とする。
（１１）上記発明において、一の前記外気導入ユニットが、複数の前記空調機本体に外気供給可能に構成したことを特徴とする。
【００１７】
（１２）また、本発明に係る空調機本体は、
前記空気冷却手段と、前記送風機と、前記外気導入量制御手段により決定された外気導入量に対応して、送風機回転数を制御する送風機回転数制御手段と、を備え、
上記各空調システムによる外気導入冷房運転を可能に構成したことを特徴とする。
【発明の効果】
【００１８】
上記各発明によれば、外気導入のための送風機と空調機の室内送風機とを兼用しているため、装置の小型化、設置コストの低減化が可能となるという効果がある。
また、ダンパー開度に対応して送風機回転数を増減するため、ＩＣＴ装置に供給される冷気風量を常に一定に維持できるため、ＩＣＴ装置の高温異常等の障害発生を回避できるという効果がある。
【図面の簡単な説明】
【００１９】
【図１（ａ）】第一の実施形態に係る外気導入冷房機能付空調システム１の構成を示す図である。
【図１（ｂ）】空調システム１を収容する機械室６の構成を示す図である。
【図１（ｃ）】ΔＴ−Φ関係テーブル（関係テーブル１）を概念的に示す図である。
【図１（ｄ）】Φ−Ｒ関係テーブル（関係テーブル２）を概念的に示す図である。
【図１（ｅ）】第一の実施形態における運転制御フローを示す図である。
【図１（ｆ）】外気導入冷房運転時における各部の作動状態及び導入外気、冷気、還気の流れを示す図である。
【図１（ｇ）】通常冷房運転時（外気導入なし）における各部の作動状態等を示す図である。
【図２（ａ）】第二の実施形態における運転制御フローを示す図である。
【図２（ｂ）】第二の実施形態におけるΦ−Ｒ関係テーブル（関係テーブル２’）を示す図である。
【図３（ａ）】第三の実施形態に係る外気導入冷房機能付空調システム３０の構成を示す図である。
【図３（ｂ）】第三の実施形態におけるΔＰ−Ｒ関係テーブル（関係テーブル２”）を示す図である。
【図３（ｃ）】第三の実施形態における運転制御フローを示す図である。
【図４（ａ）】第四の実施形態に係る外気導入冷房機能付空調システム４０の構成（外気導入時）を示す図である。
【図４（ｂ）】第四の実施形態における外気導入冷房運転時における各部の作動状態等を示す図である。
【図５（ａ）】第五の実施形態に係る外気導入冷房機能付空調システム５０の構成を示す図（正面図）である。
【図５（ｂ）】図５（ａ）におけるＡ−Ａ’矢視図（断面図）である。
【図６】従来の外気冷房システム１００の構成を示す図である。
【発明を実施するための形態】
【００２０】
以下、本発明に係る外気導入冷房機能付空調システムの各実施形態について、図１乃至４を参照してさらに詳細に説明する。重複説明を避けるため、各図において同一構成には同一符号を用いて示している。なお、本発明の範囲は特許請求の範囲記載のものであって、以下の実施形態に限定されないことはいうまでもない。
【００２１】
＜第一の実施形態＞
本実施形態は、予め設定したダンパー開度に対応するアナログ信号と、送風機回転数との関係テーブルに基づき送風機回転数を制御する形態に関する。
図１（ａ）、１（ｂ）を参照して、本実施形態に係る空調システム１は機械室６内に設置され、空調機本体１ａと、本体１ａの上側に直結する外気導入部２と、室内空気還気部３と、導入外気と還気とを混合する混合部４と、を主要構成として備えている。
【００２２】
外気導入部２は、機械室壁面に設けた外気導入口２ｂと、導入外気量を制御するダンパー２ａ（請求項の外気導入量を可変とする手段に該当）と、ダンパー２ａの下流側に外気塵埃を除去する高性能フィルター２ｃと、を主要構成として備えている。
【００２３】
室内空気還気部３は、２つの還気口３ａ、３ｂにより構成されている。このうち、還気口３ａは常時開状態であり、また、還気口３ｂには電動シャッター３ｃが取り付けられており、後述するように外気導入の有無により開閉選択可能に構成されている。
【００２４】
空調機本体１ａ内には、還気、又は、還気と導入外気の混合気を冷却する蒸発器１ｂ（請求項の空気冷却手段に該当）と、冷気を室内に供給する送風機１ｃと、を主要構成として備えている。
【００２５】
図１（ｂ）を参照して、空調システム１は機械室６内に設置されている。機械室６内部は床パネル６ｃにより室内空間６ａ、二重床空間６ｂの２つの空間に区画されている。室内空間６ａ内には同一モジュールの複数のサーバラック９が横一列に並べられ、ラック列を形成している。各サーバラック内には、複数のＩＣＴ装置９ａが多段に格納されている。各装置が備える冷却ファン（図示せず）により前面から吸気される冷気は、ＩＣＴ装置９ａを冷却し、排気としてで背面から排気される。排気は室内上部を還流して還気部３に戻される。
【００２６】
空調システム１の制御系統は、外気温度、室内温度をそれぞれ計測する温度センサＳ１，Ｓ２と、ダンパー２ａと、還気口３ｂに取り付けられている電動シャッター３ｃ、送風機１ｃと、これらに対して運転制御指令を行う制御部７と、により構成されている。
【００２７】
制御部７には、外気温度Ｔｏと室内温度Ｔｉの差（ΔＴ）に対応してダンパー開度Φを指令するためのΔＴ−Φ関係テーブル（関係テーブル１）（図１（ｃ）参照）と、ダンパー開度Φに対応して送風機回転数Ｒを指令するためのΦ−Ｒ関係テーブル（関係テーブル２）（図１（ｄ）参照）と、を備えている。
なお、関係テーブル１、２については、高性能フィルター２ｃの圧損に関らず、必要冷気供給量が確保できる送風機回転数Ｒとなるように設定されている。
【００２８】
空調システム１は以上のように構成されており、次に図１（ｅ）を参照して空調システム１の運転制御方法について説明する。
制御開始に伴い外気温度Ｔｏが外気導入冷房運転の閾値温度（Ｔｍ）以下か否かを判定する（Ｓ１０１）。Ｔｏ≦Ｔｍの場合には（Ｓ１０１においてＹ）、外気導入冷房運転制御となり、電動シャッター３ｃ操作により還気口３ｂを閉とする（Ｓ１０２）。次いで、外気温度Ｔｏと室内温度Ｔｉの差（ΔＴ）を演算し（Ｓ１０３）、ΔＴ−Φ関係テーブル（関係テーブル１）に基づいてダンパー開度を指示する（Ｓ１０４）。
【００２９】
次いで、制御部７はダンパー２ａ側からの開度Φに対応するアナログ信号を受けて（Ｓ１０５）、Φ−Ｒ関係テーブル（関係テーブル２）に基づいて送風機回転数Ｒを指示する（Ｓ１０６）。
以上の制御により、ダンパー開度に対応した外気が導入され、還気口３ａを介して還流と混合されて蒸発器を通過する。この間、吸込み温度（Ｔｓ）に基づき圧縮機（図示せず）の周波数制御が行われ、室内冷房制御が行われる（Ｓ１０７）。
この間の各部の作動状態、導入外気、冷気、還気の流れは図１（ｆ）に示す通りである。
【００３０】
一方、Ｓ１０１においてＮ、すなわちＴｏ＞Ｔｍの場合には外気導入による冷房効果なしと判定し、外気導入を行わない。具体的にはダンパー２ａは閉状態、また、電動シャッター３ｃ操作により還気口３ｂは開状態とする（Ｓ１０８）。これにより室内空気は還気口３ｂから還流される。吸込み温度（Ｔｓ）に基づき圧縮機（図示せず）の周波数制御が行われ、室内冷房制御が行われる点については（Ｓ１０７）、外気導入冷房運転制御と同様である。
この間の各部の作動状態、導入外気、冷気、還気の流れは図１（ｇ）に示す通りとなり、高性能フィルターを通過することなく蒸発器に導入されるため、還気口３ａから還流する場合と比較してフィルター通過抵抗がない分、送風機電力消費の減少となる。
【００３１】
なお、本実施形態では制御部７はダンパー２ａ側の開度Φに対応するアナログ信号を受け、関係テーブル２を適用する例を示したが、関係テーブル１に基づいて直接、関係テーブル２を適用して送風機回転数Ｒを指示する態様とすることもできる。
【００３２】
また、本実施形態では外気温度Ｔｏと室内温度Ｔｉの差（ΔＴ）に基づく関係テーブル１を用いてダンパー開度を指示する例を示したが、外気温度Ｔｏと吹き出し温度Ｔｂの差（ΔＴ’）に基づく関係テーブルを予め設定し、これに基づいてダンパー開度を指示する態様とすることもできる。
【００３３】
また、本実施形態では蒸発器、送風機等を備えた独立の空調機本体（パッケージ空調機の室内機）を用いたシステム例を示したが、空調機本体、外気導入部、室内空気還気部、混合部を一体に構成したシステムとすることもできる。以下の各システムについても同様である。
【００３４】
＜第二の実施形態＞
次に図２（ａ）、（ｂ）を参照して、、本発明の他の実施形態について説明する。本実施形態は、Φ−Ｒ関係テーブル（関係テーブル２）を随時修正可能な形態に関する。
本実施形態の構成が上述の実施形態と異なる点は、Φ−Ｒ関係テーブルの構成である。すなわち、上述の実施形態ではΦ−Ｒテーブルが適用されるのに対して、単一の図２（ａ）を参照して、本実施形態のΦ−Ｒ関係テーブル（関係テーブル２’）は、複数のΦ−Ｒ関係テーブル（例えばＲ（−３），・・・，Ｒ（０），・・・，Ｒ（３））から環境条件に対応して適宜選択適用するように構成されている。その他の構成は上述の実施形態と同様であるので、重複説明を省略する。
【００３５】
次に図２（ｂ）を参照して、本実施形態の制御方法について説明する。制御開始に伴い、関係テーブル２’について標準関係テーブルが設定される（Ｓ２０１）。ここでは便宜上、Ｒ（０）が適用されるものとする。次いで、上述の実施形態の図１（ｅ）のＳ１０１〜Ｓ１０６と同じフローが実行される（Ｓ２０２）。時間経過に伴い関係テーブルＲ（ｘ）が適用されている状態を想定する。
制御中は空調機の吸込み温度Ｔｓと吹出し温度Ｔｂとの差（ε＝Ｔｓ−Ｔｂ）が演算され（Ｓ２０３）、α２≧ε≧α１にあるか否かを判定する（Ｓ２０４）。εが一定範囲内の場合には（Ｓ２０４においてＹ）、現状関係テーブルＲ（ｘ）が維持される（Ｓ２０６）。
ε＞α２の場合には、冷気供給量に対して冷房負荷大と判定して送風機風量を増加させるため、１段階上げた関係テーブルＲ（ｘ＋１）が適用される（Ｓ２０５）。
ε＜α１の場合には、現在冷気供給量に対して冷房負荷小と判定して送風機風量を減少させるため、１段階下げた関係テーブルＲ（ｘ−１）が適用される（Ｓ２０７）。
【００３６】
以上の制御により、例えばフィルター詰まり等により機外抵抗が徐々に増加するようなケースが発生しても、関係テーブルが経時的に修正されるため、常に適正な冷気供給量の維持が可能となる。
【００３７】
＜第三の実施形態＞
さらに、本発明の他の実施形態について説明する。本実施形態は、高性能フィルター前後の差圧に基づいて送風機回転数を制御する形態に関する。
図３（ａ）を参照して、本実施形態に係る空調システム３０の構成が上述の空調システム１と異なる点は、フィルター２ｃの前後に圧力センサＳ３１、Ｓ３２を備えていることである。また、制御部３１は、圧力センサＳ３１、Ｓ３２の検出値に基づいて、送風機回転数Ｒを制御するためのΔＰ−Ｒ関係テーブル２”（図３（ｂ）参照）を備えていることである。その他の構成は空調システム１と同様であるので、重複説明を省略する。
【００３８】
次に図３（ｃ）を参照して空調システム３０の運転制御フローについて説明する。
制御開始に伴い外気温度Ｔｏが外気導入冷房運転の閾値温度（Ｔｍ）以下か否かを判定する（Ｓ３０１）。Ｔｏ≦Ｔｍの場合には（Ｓ３０１においてＹ）、外気導入冷房運転制御となり、電動シャッター操作により還気口３ｂを閉とする（Ｓ３０２）。次いで、外気温度Ｔｏと室内温度Ｔｉの差（ΔＴ）を演算し（Ｓ３０３）、ΔＴ−Φ関係テーブル（関係テーブル１）に基づいてダンパー開度を指示する（Ｓ３０４）。
【００３９】
次いで、圧力センサＳ３１、Ｓ３２によるフィルター２ｃ前後の圧力検出値に基づいて差圧ΔＰ（＝Ｐ１−Ｐ２）を演算する（Ｓ３０５）。
さらに、ΔＰ−Ｒ関係テーブル（関係テーブル２”）に基づいて、送風機回転数Ｒを指示する（Ｓ３０６）。
以上の制御により、ダンパー開度及びフィルター前後差圧に対応した外気が導入され、還気口３ａを介して還流と混合されて蒸発器を通過する。この間、吸込み温度（Ｔｓ）に基づき圧縮機（図示せず）の周波数制御が行われ、室内冷房制御が行われる（Ｓ３０７）。
【００４０】
一方、Ｓ３０１においてＮ、すなわちＴｏ＞Ｔｍの場合には外気導入による冷房効果なしと判定し、外気導入を行わない。具体的制御フロー（Ｓ３０８〜Ｓ３１０）は第一の実施形態のＳ１０８〜Ｓ１１０と同様であるので、重複説明を省略する。
【００４１】
なお、本実施形態ではフィルター２ｃ前後の差圧（ΔＰ）により、ΔＰ−Ｒ関係テーブル（関係テーブル２”）に基づいて送風機回転数Ｒを指示する例を示したが、外気温度Ｔｏと室内温度Ｔｉとの温度差、又は、外気温度Ｔｏ吹き出し温度Ｔｂとの温度差に基づいて関係テーブルを設定し、これを用いて送風機回転数Ｒを指示する態様とすることもできる。
【００４２】
＜第四の実施形態＞
さらに、本発明の他の実施形態について説明する。本実施形態はダンパーの上流側に高性能フィルターを配置した形態に係る。
図４（ａ）を参照して、本実施形態に係る空調システム４０の構成が上述の空調システム１と異なる点は、外気導入部４４がダンパー４１の上流側に高性能フィルター４２を配置していることである。また、空調システム１では２つの還気口３ａ、３ｂにより室内空気還気部３が構成されているのに対して、空調システム４０では室内空気還気部４３は単独の開度調整可能な電動シャッター４３ａにより構成されている。また、空調システム１の還気部３は高性能フィルター２ｃの上流側に配置されているのに対して、空調システム４０の還気部４３は高性能フィルター４２の下流側に配置されている。
その他の構成は空調システム１と同様であるので、重複説明を省略する。
【００４３】
次に、空調システム４０における外気導入冷房運転と通常冷房運転切り替えの形態について説明する。
図４（ａ）を参照して、外気高温時（通常冷房運転）においては、ダンパー４１全閉、還気部４３全開となる。これにより室内還気のみが蒸発器１ｂ、送風機１ｃを通過して、冷気再循環供給が行われる。
【００４４】
一方、図４（ｂ）を参照して、外気低温時（外気導入冷房運転）においては、ダンパー４１は第一の実施形態と同様、ΔＴ−Φ関係テーブル（関係テーブル１）（図１（ｃ）参照）に基づいて開度調整が行われる。また、室内空気還気部４３は電動シャッター４３ａにより開度調整が行われる。
このような開度制御により、外気と室内還気が混合部４において混合され、蒸発器１ｂ、送風機１ｃを通過して冷気再循環供給が行われる。
【００４５】
本実施形態では、還気部４３は高性能フィルター４２の下流側に配置されているため、室内空気の還流時の抵抗が少なく、全体として送風機負荷の軽減（小型化、省電力化）が可能となる。
【００４６】
＜第五の実施形態＞
さらに、本発明の他の実施形態について説明する。本実施形態は一の外気導入部：複数の空調機本体の形態に係る。
図５（ａ）、５（ｂ）を参照して、本実施形態に係る空調システム５０の構成が上述の空調システム４０と異なる点は、共通の外気導入部５１から複数台（図では３台）の空調機本体１ａに対して外気供給するように構成されていることである。
外気導入口５２、高性能フィルター５３、ダンパー５４についても共通化されている。さらに、電動シャッター４３ａを備えた室内空気還気部４３が、外気導入部５１側に付設されていることである。その他の構成は空調システム４０と同様であるので、重複説明を省略する。
本実施形態における運転制御については、外気導入部５１に対しては上述の各実施形態と同様にΔＴ−Φ関係テーブルに基づいてダンパー開度を指示し、空調機本体１ａ本体に対しては、空調機本体ごとに規定されたΦ−Ｒ関係テーブルに基づいて送風機回転数Ｒを指示する。
【００４７】
本実施形態では、外気導入部を共通としたため、空調機ごとに外気導入部を持つ必要がなく、システム構築コストの低減化が可能となる。
【産業上の利用可能性】
【００４８】
本発明は、熱源、冷媒、空調方式、建築構造等の種類を問わず外気導入冷房機能付空調システムに広く適用可能である。
【符号の説明】
【００４９】
１、３０、４０、５０・・・・外気導入冷房機能付空調システム
１ｂ・・・・蒸発器
１ｃ・・・・送風機
２、４４、５１・・・・外気導入部
２ａ、４１、５４・・・・ダンパー
２ｂ、５２・・・・外気導入口
２ｃ、４２、５３・・・・高性能フィルター
３、４３・・・・室内空気還気部
３・・・・還気部
３ａ、３ｂ、４３・・・・還気口
３ｃ、４３ａ・・・・電動シャッター
４・・・・混合部
７、３１・・・・制御部
【図１（ａ）】
2014190640.tif 000003
【図１（ｂ）】
2014190640.tif 000004
【図１（ｃ）】
2014190640.tif 000005
【図１（ｄ）】
2014190640.tif 000006
【図１（ｅ）】
2014190640.tif 000007
【図１（ｆ）】
2014190640.tif 000008
【図１（ｇ）】
2014190640.tif 000009
【図２（ａ）】
2014190640.tif 000010
【図２（ｂ）】
2014190640.tif 000011
【図３（ａ）】
2014190640.tif 000012
【図３（ｂ）】
2014190640.tif 000013
【図３（ｃ）】
2014190640.tif 000014
【図４（ａ）】
2014190640.tif 000015
【図４（ｂ）】
2014190640.tif 000016
【図５（ａ）】
2014190640.tif 000017
【図５（ｂ）】
2014190640.tif 000018
【図６】
2014190640.tif 000019